(57)【要約】【課題】オーバラップ分の画素が付いた分割画像データに対してゼブラ表示をする際に、分割の境界部分も連続したゼブラを表示することを可能にした撮像装置を提供すること。【解決手段】  被写体を撮影して画像を生成する撮影手段と、前記画像の輝度レベルを判定する判定手段と、前記判定手段による判定結果に応じて、前記表示手段が表示する画像に特定のパタンを重畳させるパタン重畳手段と、前記撮影手段により生成された前記画像に対し、前記パタン重畳手段により特定のパタンを重畳した画像を表示する表示手段を有し、前記パタン重畳手段は、前記画像を分割して処理し、各々に対して特定のパタンを重畳表示させることを特徴とする構成とした。【選択図】  図１
2019134212.tif 000002
【特許請求の範囲】
【請求項１】
被写体を撮影して画像を生成する撮影手段と、
前記画像の輝度レベルを判定する判定手段と、
前記判定手段による判定結果に応じて、前記表示手段が表示する画像に特定のパタンを重畳させるパタン重畳手段と、
前記撮影手段により生成された前記画像に対し、前記パタン重畳手段により特定のパタンを重畳した画像を表示する表示手段を有し、
前記パタン重畳手段は、前記画像を分割して処理し、各々に対して特定のパタンを重畳表示させることを特徴とする撮像装置。
【請求項２】
前記パタン重畳手段は、前記分割された画像に対して特定のパタンを重畳する際に、分割の境界のオーバラップを考慮して処理することを特徴とする請求項１に記載の撮像装置。
【請求項３】
前記パタン重畳手段は、前記分割された画像に対して特定のパタンを重畳する際に、分割の境界のオーバラップを除外した領域に対して処理することを特徴とする請求項２に記載の撮像装置。
【請求項４】
前記パタン重畳手段は、前記分割された画像に対して特定のパタンを重畳する際に、分割前の画像の座標系で特定のパタンを重畳するかどうかを判定することを特徴とする請求項３に記載の撮像装置。
【請求項５】
前記パタン重畳手段は、前記画像を水平に２分割以上、または垂直に２分割以上、もしくは両方に分割し、分割の境界にオーバラップを入力して処理することを特徴とする請求項４に記載の撮像装置。
【請求項６】
前記分割の境界のオーバラップ量は、前記パタン重畳手段による特定パタンの重畳表示のあとにほどこす処理によって変動することを特徴とする請求項５に記載の撮像装置。
【請求項７】
前記特定のパタンは縞模様であることを特徴とする請求項６に記載の撮像装置。
【発明の詳細な説明】
【技術分野】
【０００１】
本発明は、撮像装置および撮像方法に関し、特に撮像時の露出調整を補助する技術に関するものである。
【背景技術】
【０００２】
近年、自動露出調整技術（Ａｕｔｏ  Ｅｘｐｏｓｕｒｅ：ＡＥ）の進歩によって、デジタルビデオカメラやデジタルカメラなどの撮像装置の露出調整にＡＥが用いられている。しかし、意図的に被写体が明るくなる、または暗くなるように露出を調整したい場合や、ＡＥでは露出調整が困難な撮影条件化での撮影では、手動露出調整技術が用いられる。
【０００３】
撮影者は、撮像装置に搭載された表示装置で露出の程度を確認しながら手動露出調整をおこなう。しかし小型の撮像装置では表示装置のサイズや表示可能画素数が小さくて視認性や、色再現性能が低下するなどして、精度の高い露出調整が困難な場合があった。
【０００４】
そこで、撮影者が露出の程度を確認するための補助表示方法が考案されている。例えば、表示画像の一部分を拡大して表示する方法や、表示画像のうちで指定した輝度範囲である領域に対して縞模様を重畳表示するゼブラ表示と呼ばれる方法などがある。
【０００５】
例えば、特許文献１ではゼブラ表示の視認性向上のため、輝度値の大きさに応じてゼブラ表示に着色する方法が開示されている。特許文献２ではゼブラ表示の視認性向上のため、撮像装置と被写体の距離情報に基づいて、所定の距離範囲内に含まれる被写体のみにゼブラ表示をおこなう方法が開示されている。
【先行技術文献】
【特許文献】
【０００６】
【特許文献１】特開２００９−１３０４６４号公報
【特許文献２】特開２０１６−１９７７９１号公報
【発明の概要】
【発明が解決しようとする課題】
【０００７】
動画を記録する際に、表示装置に撮影画角のプレビュー表示をおこなう。このとき、記録サイズの画像データを表示装置の画素数に合わせてリサイズ処理をおこない、表示画像を生成することが一般的である。リサイズ処理は処理に必要なデータをメモリに一時的に格納しておこなう必要があるが、使用できるメモリサイズは有限である。近年、動画の記録画素数が増えており、限られたメモリサイズでリサイズ処理をおこなうため、メモリサイズに合わせて画像を分割して処理する。
【０００８】
このとき、分割の境界部分の画質を劣化させないために、分割画像データに加えてオーバラップ分の画素を入力して処理する手法が知られている。よって、ゼブラ表示の処理もオーバラップ分の画素が付いた分割画像データ毎に対しておこなうことになる。
【０００９】
上述の特許文献に開示された従来技術では、オーバラップ分の画素が付いた分割画像データに対してゼブラ表示をおこなうことを想定していない。そのため、ゼブラ表示をおこなったあとにオーバラップ分を切り取り、表示画像を生成した際、分割の境界部分のゼブラ表示が連続していない可能性がある。
【００１０】
図６は、オーバラップ画素が付いた分割画像データに対してゼブラ表示を重畳する際の課題の一例である。図６（ａ）はゼブラ表示を重畳する前の例、図６（ｂ）はゼブラ表示を重畳した後の例である。６００ａおよび６００ｂは全体画像データのイメージである。６０１ａおよび６０１ｂは左側の分割画像データのイメージである。６０２ａおよび６０２ｂは中央の分割画像データのイメージである。６０３ａおよび６０３ｂは右側の分割画像データのイメージである。
【００１１】
左側の分割画像データ６０１ａ、中央の分割画像データ６０２ａ、右側の分割画像データ６０３ａに対し、それぞれの左上の画素を原点としてゼブラ表示の重畳処理を施した結果、左側の分割画像データ６０１ｂ、中央の分割画像データ６０２ｂ、右側の分割画像データ６０３ｂを得る。左側の分割画像データ６０１ｂ、中央の分割画像データ６０２ｂ、右側の分割画像データ６０３ｂのオーバラップ部分を切り取って合わせた結果、得られる全体画像データ６００ｂは、分割の境界部分のゼブラ表示が連続していない。
【００１２】
そこで、本発明の目的は、オーバラップ分の画素が付いた分割画像データに対してゼブラ表示をする際に、分割の境界部分も連続したゼブラを表示することを可能にした撮像装置を提供することである。
【課題を解決するための手段】
【００１３】
上記目的を達成するために、本発明は、被写体を撮影して画像を生成する撮影手段と、前記画像の輝度レベルを判定する判定手段と、前記判定手段による判定結果に応じて、前記表示手段が表示する画像に特定のパタンを重畳させるパタン重畳手段と、前記撮影手段により生成された前記画像に対し、前記パタン重畳手段により特定のパタンを重畳した画像を表示する表示手段を有し、前記パタン重畳手段は、前記画像を分割して処理し、各々に対して特定のパタンを重畳表示させることを特徴とする。
【発明の効果】
【００１４】
本発明によればオーバラップ分の画素が付いた分割画像データに対して連続したゼブラ表示が可能な撮像装置を提供することができる。
【図面の簡単な説明】
【００１５】
【図１】本発明の実施形態に関わる撮像装置１００の構成例
【図２】撮像した撮像画像を分割処理する場合の分割パタンの例
【図３】分割画像データにオーバラップがない場合の例
【図４】分割画像データにオーバラップがある場合の例
【図５】分割画像データにオーバラップがある場合のもう一つの例
【図６】オーバラップ画素が付いた分割画像データに対してゼブラ表示を重畳する際の課題の一例
【発明を実施するための形態】
【００１６】
以下に、本発明の好ましい実施の形態を、添付の図面に基づいて詳細に説明する。図１は、本発明の実施形態に関わる撮像装置１００の構成例を示したブロック図である。１０１は撮影レンズ群である。１０２は撮像センサ部である。１０３は画像処理部である。１０４は指定輝度範囲検出部である。１０５はゼブラ重畳部である。１０６は表示部Ａである。１０７は表示部Ｂである。１０８は入力操作部である。１０９はシステム制御部である。１１０はレンズ制御部である。１１１はセンサ制御部である。
【００１７】
撮像センサ部１０２は、ＣＣＤやＣＭＯＳなどの撮像素子であり、撮像レンズ群１０１で入射光量や合焦の調節をおこない、結像された撮像画像を光電変換して、さらにアナログ・デジタル変換したデジタル信号を出力する。画像処理部１０３は、撮像センサ部１０２が出力したデジタル信号を入力し、オフセット調整やゲイン調整、ガンマ補正などの処理や現像処理、レンズの歪曲収差の補正処理、防振処理、ノイズリダクションなどの処理をおこなう。指定輝度範囲検出部１０４は、画像処理部１０３からの画像情報に基づいて、システム制御部１０９で指定した輝度範囲に含まれる輝度値である画素を検出する。
【００１８】
ゼブラ重畳部１０５は、指定輝度範囲検出部１０４で検出した画像範囲に対して、縞模様のゼブラ画像を重畳する処理をおこなう。ゼブラ重畳部１０５は、入力画像の画素の座標を入力すると、ゼブラ画像を重畳する画素かどうかを判定する。指定輝度範囲検出部１０４で検出した画素についてゼブラ画像を重畳する画素かどうかを判定し、検出した画素がゼブラ画像を重畳する座標であると判定されると重畳処理をおこない、重畳しない座標であると判定されると重畳処理をおこなわない。
【００１９】
ここで、輝度値範囲を画素に白飛びが生じるような所定値以上の輝度値の範囲とすることで、画像内の白飛びしている領域にゼブラ表示を重畳することができる。上記の輝度値範囲は一例であり、これに限定されず検出する目的に応じて適宜設定できる。表示部Ａ１０６、表示部Ｂ１０７は、ＬＣＤなどの表示デバイスであり、ゼブラ重畳部１０５で縞模様のゼブラ画像を重畳処理した画像を、サイズに応じてリサイズし、表示する。表示部Ａ１０６、表示部Ｂ１０７は、同じ表示サイズ、表示レートである必要はなく、それぞれ別のサイズや表示レートであっても構わない。
【００２０】
入力操作部１０８は、ユーザから、撮像装置１００の設定などの入力操作を受け付ける。システム制御部１０９は、入力操作部１０８が受け付けたユーザ操作に応じて、画像処理部１０３、指定輝度検出部１０４、ゼブラ重畳部１０５、レンズ制御部１１０、センサ制御部１１１に対して指示を出し、撮像装置１００の制御をおこなう。レンズ制御部１１０は、システム制御部１０９からの指示に応じて、撮像レンズ群１０１を制御する。センサ制御部１１１は、システム制御部１０９からの指示に応じて、撮像センサ部１０２の制御などをおこなう。
【００２１】
図２は、撮像センサ部１０２で撮像した撮像画像を画像処理部１０３、指定輝度範囲検出部１０４、ゼブラ重畳部１０５、表示部Ａ１０６、表示部Ｂ１０７で分割処理する場合の分割パタンの例である。図２（ａ）は水平３分割で処理する場合の例、図２（ｂ）は垂直３分割で処理する場合の例、図２（ｃ）は水平４分割、垂直２分割で処理する場合の例である。画像処理部１０３や表示部Ａ１０６、表示部Ｂ１０７などのバッファサイズや、表示タイミングなどに応じ、水平、垂直に適当なサイズ、数に分割して処理をおこなう。分割して処理をおこなう際、処理の内容に応じて分割画像データの周囲の分割画像データをオーバラップ画素として余分に読みだして処理をおこなう。これにより、境界の画質を劣化させずに処理することが可能となる。
【００２２】
［実施例１］
以下、図３を参照して、本発明の第1の実施例による、水平３分割で処理する際にゼブラ表示を重畳する場合について説明する。
【００２３】
図３は、分割画像データにオーバラップがない場合の例である。図３（ａ）はゼブラ重畳部１０５への入力例、図３（ｂ）はゼブラ重畳部１０５の出力例である。３００ａおよび３００ｂは全体画像データのイメージで、左から水平サイズＸｓ、Ｘａ、Ｘｂに分割して処理する。３０１ａおよび３０１ｂは左側の分割画像データのイメージで水平サイズはＸｓとなる。３０２ａおよび３０２ｂは中央の分割画像データのイメージで水平サイズはＸａとなる。３０３ａおよび３０３ｂは右側の分割画像データのイメージで水平サイズはＸｂとなる。また、垂直サイズをＹとし、全体画像データ３００ａおよび３００ｂの左上を原点として、水平方向をｘ軸、垂直方向をｙ軸とした座標系とする。
【００２４】
始めに左側の分割画像データ３０１ａに対してゼブラ表示を重畳する処理をおこなう。指定輝度範囲検出部１０４は、左側の分割画像データ３０１ａのうち、システム制御部１０９で指定した輝度範囲に含まれる輝度値である画素を検出する。
【００２５】
ゼブラ重畳部１０５は、指定輝度範囲１０４で検出された画素に対して、全体画像データ３００ａの左上を原点とした座標系で、入力画像に対してゼブラ表示を重畳するかを判定し、該当する画素に対してゼブラ表示を重畳する。このとき、左側の分割画像データ３０１ａのｘ軸方向の座標は０〜Ｘｓ−１の範囲となる。この範囲に対して、ゼブラ表示を重畳するかを判定する。そして左側の分割画像データ３０１ｂを出力する。
【００２６】
次に中央の分割画像データ３０２ａに対してゼブラ表示を重畳する処理をおこなう。指定輝度範囲検出部１０４は、中央の分割画像データ３０２ａのうち、システム制御部１０９で指定した輝度範囲に含まれる輝度値である画素を検出する。
【００２７】
ゼブラ重畳部１０５は、中央の分割画像データ３０２ａのうち、指定輝度範囲検出部１０４で検出した画素に対してゼブラ表示を重畳するかを判定し、該当する画素に対してゼブラ表示を重畳する。このとき、中央の分割画像データ３０２ａの左上を原点とした座標系ではなく、全体画像データ３００ａの左上を原点とした座標系で、ゼブラ表示を重畳するかを判定する。中央の分割画像データ３０２ａのｘ軸方向の座標はＸｓ〜Ｘｓ＋Ｘａ−１の範囲となる。そして中央の分割画像データ３０２ｂを出力する。
【００２８】
次に右側の分割画像データ３０３ａに対してゼブラ表示を重畳する処理をおこなう。指定輝度範囲検出部１０４は、右側の分割画像データ３０３ａのうち、システム制御部１０９で指定した輝度範囲に含まれる輝度値である画素を検出する。
【００２９】
ゼブラ重畳部１０５は、右側の分割画像データ３０３ａのうち、指定輝度範囲検出部１０４で検出した画素に対してゼブラ表示を重畳するかを判定し、該当する画素に対してゼブラ表示を重畳する。このとき、右側の分割画像データ３０３ａの左上を原点とした座標系ではなく、全体画像データ３００ａの左上を原点とした座標系で、ゼブラ表示を重畳するかを判定する。右側の分割画像データ３０３ａのｘ軸方向の座標はＸｓ＋Ｘａ〜Ｘｓ＋Ｘａ＋Ｘｂ−１の範囲となる。そして、右側の分割画像データ３０３ｂを出力する。
【００３０】
左側の分割画像データ３０１ｂ、中央の分割画像データ３０２ｂ、右側の分割画像データ３０３ｂをつなぎ合わせることで、ゼブラ表示を重畳した全体画像データ３００ｂを得ることができる。表示部Ａ１０６または表示部Ｂ１０７もしくはその両方は、左側の分割画像データ３０１ｂ、中央の分割画像データ３０２ｂ、右側の分割画像データ３０３ｂそれぞれ、もしくは全体画像データ３００ｂを入力し、表示サイズに応じたリサイズ処理を施す。リサイズした後のデータを表示部Ａ１０６、表示部Ｂ１０７に表示する。
【００３１】
入力画像を水平３分割で処理する場合に、分割の境界にオーバラップがないときについてゼブラ表示を重畳する処理について説明したが、水平３分割に限らず、垂直方向に分割しても構わないし、３分割以外の分割数でも構わない。また、ゼブラ表示に限らず、ゼブラ以外の特定パタンを重畳しても構わない。
【００３２】
これにより、画像データを分割して処理するとき、分割画像データにオーバラップ画素がない場合について、分割の境界も連続したゼブラ表示を重畳することが可能となる。
【００３３】
［実施例２］
以下、図４を参照して、本発明の第２の実施例による、水平３分割で処理する際にゼブラ表示を重畳する場合について説明する。
【００３４】
図４は、分割画像データにオーバラップがある場合の例である。図４（ａ）はゼブラ重畳部１０５への入力例、図４（ｂ）はゼブラ重畳部１０５の出力例である。４００ａおよび４００ｂは全体画像データのイメージで、左から水平サイズＸｓ、Ｘａ、Ｘｂに分割して処理する。４０１ａおよび４０１ｂは左側の分割画像データのイメージで右側のオーバラップをｘｓ＿ｒ、水平サイズはオーバラップ分を合わせてＸｓ＋ｘｓ＿ｒとする。４０２ａおよび４０２ｂは中央の分割画像データのイメージで、左側のオーバラップをｘａ＿ｌ、右側のオーバラップをｘａ＿ｒ、水平サイズはオーバラップ分を合わせてｘａ＿ｌ＋Ｘａ＋ｘａ＿ｒとする。
【００３５】
４０３ａおよび４０３ｂは右側の分割画像データのイメージで、左側のオーバラップをｘｂ＿ｌ、水平サイズはオーバラップ分を合わせてｘｂ＿ｌ＋Ｘｂとする。また、垂直サイズをＹとし、全体画像データ４００ａおよび４００ｂの左上を原点として、水平方向をｘ軸、垂直方向をｙ軸とした座標系とする。
【００３６】
始めに左側の分割画像データ４０１ａに対してゼブラ表示を重畳する処理をおこなう。指定輝度範囲検出部１０４は、左側の分割画像データ４０１ａのうち、システム制御部１０９で指定した輝度範囲に含まれる輝度値である画素を検出する。
【００３７】
ゼブラ重畳部１０５は、左側の分割画像データ４０１ａのうち、指定輝度範囲検出部１０４で検出した画素に対してゼブラ表示を重畳するかを判定し、該当する画素に対してゼブラ表示を重畳する。このとき、左側の分割画像データ４０１ａのｘ軸方向の座標は０〜Ｘｓ＋ｘｓ＿ｒ−１の範囲となる。この範囲に対して、ゼブラ表示を重畳するかを判定する。そして左側の分割画像データ４０１ｂを出力する。
【００３８】
次に中央の分割画像データ４０２ａに対して、ゼブラ表示を重畳する処理をおこなう。指定輝度範囲検出部１０４は、中央の分割画像データ４０２ａのうち、システム制御部１０９で指定した輝度範囲に含まれる輝度値である画素を検出する。
【００３９】
ゼブラ重畳部１０５は、中央の分割画像データ４０２ａのうち、指定輝度範囲検出部１０４で検出した画素に対してゼブラ表示を重畳するかを判定し、該当する画素に対してゼブラ表示を重畳する。このとき、中央の分割画像データ４０２ａの左上を原点とした座標系ではなく、全体画像データ４００ａの左上を原点とした座標系で、ゼブラ表示を重畳するかを判定する。中央の分割画像データ４０２ａのｘ軸方向の座標はＸｓ−ｘａ＿ｌ〜Ｘｓ＋Ｘａ＋ｘａ＿ｒ−１の範囲となる。そして中央の分割画像データ４０２ｂを出力する。
【００４０】
次に右側の分割画像データ４０３ａに対して、ゼブラ表示を重畳する処理をおこなう。指定輝度範囲検出部１０４は、右側の分割画像データ４０３ａのうち、システム制御部１０９で指定した輝度範囲に含まれる輝度値である画素を検出する。
【００４１】
ゼブラ重畳部１０５は、右側の分割画像データ４０３ａのうち、指定輝度範囲検出部１０４で検出した画素に対してゼブラ表示を重畳するかを判定し、該当する画素に対してゼブラ表示を重畳する。このとき、右側の分割画像データ４０３ａの左上を頂点とした座標系ではなく、全体画像データ４００ａの左上を原点とした座標系で、ゼブラ表示を重畳するかを判定する。右側の分割画像データ４０３ａのｘ軸方向の座標はＸｓ＋Ｘａ−ｘｂ＿ｌ〜Ｘｓ＋Ｘａ＋Ｘｂ−１の範囲となる。そして右側の分割画像データ４０３ｂを出力する。
【００４２】
左側の分割画像データ４０１ｂ、中央の分割画像データ４０２ｂ、右側の分割画像データ４０３ｂそれぞれに対し、リサイズやエッジ強調などの必要な処理を施したのち、オーバラップ部分をカットしてつなぎ合わせることで、全体画像データ４００ｂを得ることができる。例えば、表示部Ａ１０６または表示部Ｂ１０７もしくはその両方で、左側の分割画像データ４０１ｂ、中央の分割画像データ４０２ｂ、右側の分割画像データ４０３ｂを入力し、それぞれについて表示サイズに応じたリサイズ処理を施すことを考える。
【００４３】
この時、ゼブラ表示が重畳されたオーバラップ画素を用いてリサイズ処理をおこなう。リサイズ後にオーバラップ部分をカットしたのちにそれぞれをつなぎ合わせ、全体画像データ４００ｂを得て、表示部Ａ１０６、表示部Ｂ１０７に表示する。
【００４４】
ここで、オーバラップとして必要な画素数は、ゼブラ重畳部１０５でゼブラ表示を重畳したのちにおこなう処理に応じて変更可能である。
【００４５】
入力画像を水平３分割で処理する場合に、分割の境界にオーバラップがあるときについてゼブラ表示を重畳する処理について説明したが、水平３分割に限らず、垂直方向に分割しても構わないし、３分割以外の分割数でも構わない。また、ゼブラ表示に限らず、ゼブラ以外の特定パタンを重畳しても構わない。
【００４６】
これにより、画像データを分割して処理するとき、分割画像データにオーバラップ画素がある場合について、分割の境界も連続したゼブラ表示を重畳することが可能となる。
【００４７】
［実施例３］
以下、図５を参照して、本発明の第３の実施例による、水平３分割で処理する際にゼブラ表示を重畳する場合について説明する。
【００４８】
図５は、分割画像データにオーバラップがある場合のもう一つの例である。図５（ａ）はゼブラ重畳部１０５への入力例、図５（ｂ）はゼブラ重畳部１０５の出力例である。５００ａおよび５００ｂは全体画像データのイメージで、左から水平サイズＸｓ、Ｘａ、Ｘｂに分割して処理する。５０１ａおよび５０１ｂは左側の分割画像データのイメージで、右側のオーバラップをｘｓ＿ｒ、水平サイズはオーバラップ分を合わせてＸｓ＋ｘｓ＿ｒとする。
【００４９】
５０２ａおよび５０２ｂは中央の分割画像データのイメージで、左側のオーバラップをｘａ＿ｌ、右側のオーバラップをｘａ＿ｒ、水平サイズはオーバラップ分を合わせてｘａ＿ｌ＋Ｘａ＋ｘａ＿ｒとする。５０３ａおよび５０３ｂは右側の分割画像データのイメージで、左側のオーバラップをｘｂ＿ｌ、水平サイズはオーバラップ分を合わせてｘｂ＿ｌ＋Ｘｂとする。また、垂直サイズをＹとし、全体画像データ５００ａおよび５００ｂの左上を原点として、水平方向をｘ軸、垂直方向をｙ軸とした座標系とする。
【００５０】
始めに左側の分割画像データ５０１ａに対してゼブラ表示を重畳する処理をおこなう。指定輝度範囲検出部１０４は、左側の分割画像データ５０１ａのうち、システム制御部１０９で指定した輝度範囲に含まれる輝度値である画素を検出する。
【００５１】
ゼブラ重畳部１０５は、左側の分割画像データ５０１ａのうち、指定輝度範囲検出部１０４で検出した画素に対してゼブラ表示を重畳するかを判定し、該当する画素に対してゼブラ表示を重畳する。このとき、左側の分割画像データ５０１ａのｘ軸方向の座標は０〜Ｘｓ−１の範囲とし、この範囲に対して、ゼブラ表示を重畳するかを判定する。オーバラップ部分にはゼブラ表示を重畳しない。そして左側の分割画像データ５０１ｂを出力する。
【００５２】
次に中央の分割画像データ５０２ａに対して、ゼブラ表示を重畳する処理をおこなう。指定輝度範囲検出部１０４は、中央の分割画像データ５０２ａのうち、システム制御部１０９で指定した輝度範囲に含まれる輝度値である画素を検出する。
【００５３】
ゼブラ重畳部１０５は、中央の分割画像データ５０２ａのうち、指定輝度範囲検出部１０４で検出した画素に対してゼブラ表示を重畳するかを判定し、該当する画素に対してゼブラ表示を重畳する。このとき、中央の分割画像データ５０２ａの左上を原点とした座標系ではなく、全体画像データ５００ａの左上を原点とした座標系で、ゼブラ表示を重畳するかを判定する。中央の分割画像データ５０２ａのｘ軸方向の座標はＸｓ〜Ｘｓ＋Ｘａ−１の範囲とし、オーバラップ部分にはゼブラ表示を重畳しない。そして中央の分割画像データ５０２ｂを出力する。
【００５４】
次に右側の分割画像データ５０３ａに対して、ゼブラ表示を重畳する処理をおこなう。指定輝度範囲検出部１０４は、右側の分割画像データ５０３ａのうち、システム制御部１０９で指定した輝度範囲に含まれる輝度値である画素を検出する。
【００５５】
ゼブラ重畳部１０５は、右側の分割画像データ５０３ａのうち、指定輝度範囲検出部１０４で検出した画素に対してゼブラ表示を重畳するかを判定し、該当する画素に対してゼブラ表示を重畳する。このとき、右側の分割画像データ５０３ａの左上を頂点とした座標系ではなく、全体画像データ５００ａの左上を原点とした座標系で、ゼブラ表示を重畳するかを判定する。右側の分割画像データ５０３ａのｘ軸方向の座標はＸｓ＋Ｘａ〜Ｘｓ＋Ｘａ＋Ｘｂ−１の範囲とし、オーバラップ部分にはゼブラ表示を重畳しない。そして右側の分割画像データ５０３ｂを出力する。
【００５６】
左側の分割画像データ５０１ｂ、中央の分割画像データ５０２ｂ、右側の分割画像データ５０３ｂそれぞれに対し、リサイズやエッジ協調などの必要な処理を施したのち、オーバラップ部分をカットしてつなぎ合わせることで、全体画像データ５００ｂを得ることができる。
【００５７】
例えば、表示部Ａ１０６または表示部Ｂ１０７もしくはその両方で、左側の分割画像データ５０１ｂ、中央の分割画像データ５０２ｂ、右側の分割画像データ５０３ｂを入力し、それぞれについて表示サイズに応じたリサイズ処理を施すことを考える。この時、オーバラップ部分にはゼブラ表示が重畳されていない。ゼブラ表示が重畳されていないオーバラップ画素を用いてリサイズ処理をおこなう。リサイズ後にオーバラップ部分をカットしたのちにそれぞれをつなぎ合わせ、全体画像データ５００ｂを得て、表示部Ａ１０６、表示部Ｂ１０７に表示する。
【００５８】
ここで、オーバラップとして必要な画素数は、ゼブラ重畳部１０５でゼブラ表示を重畳したのちにおこなう処理に応じて変更可能である。
【００５９】
入力画像を水平３分割で処理する場合にゼブラ表示を重畳する処理について説明したが、水平３分割に限らず、垂直方向に分割しても構わないし、３分割以外の分割数でも構わない。また、ゼブラ表示に限らず、ゼブラ以外の特定パタンを重畳しても構わない。
【００６０】
これにより、画像データを分割して処理するとき、分割画像データにオーバラップ画素がある場合について、オーバラップ部分を除いてゼブラ表示を重畳することができ、分割の境界も連続したゼブラ表示を重畳することが可能となる。
【００６１】
以上、本発明の好ましい実施形態について説明したが、本発明はこれらの実施形態に限定されず、その要旨の範囲内で種々の変形及び変更が可能である。
【００６２】
本発明は、民生や業務用途において、画像撮影機器、再生機、システム、アプリケーション、画像処理装置などに利用可能である。
【符号の説明】
【００６３】
１００：撮像装置
１０１：撮影レンズ群
１０２：撮像センサ部
１０３：画像処理部
１０４：指定輝度範囲検出部
１０５：ゼブラ重畳部
１０６：表示部Ａ
１０７：表示部Ｂ
１０８：入力操作部
１０９：システム制御部
１１０：レンズ制御部
１１１：センサ制御部
【図１】
2019134212.tif 000003
【図２】
2019134212.tif 000004
【図３】
2019134212.tif 000005
【図４】
2019134212.tif 000006
【図５】
2019134212.tif 000007
【図６】
2019134212.tif 000008